【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
デバイスを多相電気システム（１０４）の少なくとも第１相に接続するステップと、
メータ（１０６）を使用して、電気消費情報について、前記デバイスが接続されている前記多相電気システム（１０４）の少なくとも前記第１相を測定するステップと、
前記デバイスが接続されている前記多相電気システム（１０４）の前記第１相についての第１相識別子を、前記メータ（１０６）に関連したメモリ（４０６）の中に保存するステップと、
前記メータに動作可能に接続されたネットワーク（１１０）を介して、少なくとも前記第１相識別子を送信するステップとを備え、
前記デバイスを前記多相電気システム（１０４）の少なくとも前記第１相に接続するステップは、１または複数のスイッチを使用して、電気負荷（１０２）を前記多相電気システム（１０４）の前記第１相に接続することを備えるメータのための相識別方法。
【請求項２】
前記電気負荷（１０２）が単相電気負荷である請求項１記載の方法。
【請求項３】
前記デバイスを前記多相電気システム（１０４）の前記第１相に接続するステップは、負荷制御リレー（１１２）を前記多相電気システムの前記第１相に接続することを備え、前記多相電気システム（１０４）が多相電気負荷に電気サービスを与える請求項１または２記載の方法。
【請求項４】
前記デバイスが前記多相電気システム（１０４）の少なくとも第２相に接続されるように、前記デバイスを切り替えるステップと、
前記メータ（１０６）を使用して、電気消費情報について、前記デバイスが接続されている前記多相電気システム（１０４）の少なくとも前記第２相を測定するステップと、
前記デバイスが接続されている前記多相電気システム（１０４）の前記第２相についての第２相識別子を、前記メータ（１０６）に関連した前記メモリ（４０６）の中に保存するステップと、
前記メータ（１０６）に動作可能に接続された前記ネットワーク（１１０）を介して、少なくとも前記第２相識別子を送信するステップとをさらに備える請求項１乃至３記載の方法。
【請求項５】
前記デバイスが前記多相電気システム（１０４）の少なくとも前記第２相に接続されるように、前記デバイスを切り替えるステップは、前記メータ（１０６）を使用して、前記デバイスを前記多相電気システム（１０４）の前記第１相から前記第２相へ自動的に切り替えることを備え、前記デバイスが接続されている前記多相電気システム（１０４）の前記第２相についての前記第２相識別子を、前記メータ（１０６）に関連した前記メモリ（４０６）の中に保存するステップは、前記デバイスが前記多相電気システム（１０４）の前記第１相から前記第２相へ切り替えられる場合に、前記第２相識別子を自動的に保存することを備える請求項４記載の方法。
【請求項６】
デバイスを多相電気システム（１０４）の少なくとも第１相に接続するために使用される１つまたは複数のスイッチ（２０４）と、
電気消費情報について、前記デバイスが接続されている前記多相電気システム（１０４）の少なくとも前記第１相を測定するために使用される測定コンポーネント（２０６、２０８、２１０）と、
メモリ（４０６）と、
少なくとも１つのネットワークインターフェース（４０８）と、
プロセッサ（４０４）とからなり、前記プロセッサ（４０４）は前記１つまたは複数のスイッチ（２０４）、前記測定コンポーネント（２０６、２０８、２１０）、前記メモリ（４０６）および前記少なくとも１つのネットワークインターフェース（４０８）に動作可能に接続され、前記プロセッサ（４０４）は、
前記デバイスが接続されている前記多相電気システム（４０４）の前記第１相についての第１相識別子を前記メモリ（４０６）の中に保存し、
前記デバイスが接続されている前記多相電気システム（１０４）の前記第１相についての前記第１相識別子を前記メモリ（４０６）から検索して、前記ネットワークインターフェース（４０８）を使用して、前記メータ（１０６）に動作可能に接続されたネットワーク（１１０）を介して、少なくとも前記第１相識別子を送信するように構成されるメータ。
【請求項７】
前記１つまたは複数のスイッチ（２０４）は、前記デバイスが前記多相電気システム（１０４）の少なくとも第２相に接続され、前記測定コンポーネント（２０６、２０８、２１０）が、前記メータ（１０６）を使用して、電気消費情報について、前記デバイスが接続されている前記多相電気システム（１０４）の少なくとも前記第２相を測定するように前記デバイスを切り替えるために使用され、前記プロセッサ（４０４）は、
前記デバイスが接続されている前記多相電気システム（１０４）の前記第２相についての第２相識別子を、前記メータ（１０６）に関連した前記メモリ（４０６）の中に保存し、
前記デバイスが接続されている前記多相電気システム（１０４）の前記第２相についての前記第２相識別子を前記メモリ（４０６）から検索し、前記ネットワークインターフェース（４０８）を使用して、前記メータ（１０６）に動作可能に接続された前記ネットワーク（１１０）を介して、少なくとも前記第２相識別子を送信するようにさらに構成され、
前記１つまたは複数のスイッチ（２０４）は、前記プロセッサ（４０４）によって制御される自動スイッチであり、前記デバイスが前記多相電気システム（１０４）の少なくとも前記第２相に接続されるように前記デバイスを切り替えることは、前記１つまたは複数のスイッチ（２０４）を使用して、前記デバイスを前記多相電気システム（１０４）の前記第１相から前記第２相へ自動的に切り替えることを備え、
前記１つまたは複数のスイッチ（２０４）は、前記デバイスが接続されている前記多相電気システム（１０４）の前記第２相についての前記第２相識別子を、前記メータ（１０６）に関連した前記メモリ（４０６）の中に保存することが、前記デバイスが前記多相電気システム（１０４）の前記第１相から前記第２相へ切り替えられる場合に、前記第２相識別子を前記メモリ（４０６）の中に自動的に保存することを備えるように、前記プロセッサ（４０４）に動作可能に接続される請求項６記載のメータ。
【請求項８】
コンピューティングデバイス（１０８）と、
前記コンピューティングデバイス（１０８）が動作可能に接続されるネットワーク（１１０）と、
メータ（１０６）とからなるシステムであって、前記メータは、
デバイスを多相電気システム（１０４）の少なくとも第１相に接続するために使用される１つまたは複数のスイッチ（２０４）と、
電気消費情報について、前記デバイスが接続されている前記多相電気システム（１０４）の少なくとも前記第１相を測定するため使用される測定コンポーネント（２０６、２０８、２１０）と、
メモリ（４０６）と、
前記メータ（１０６）を前記ネットワーク（１１０）に動作可能に接続する少なくとも１つのネットワークインターフェース（４０８）と、
前記１つまたは複数のスイッチ（２０４）、前記測定コンポーネント（２０６、２０８、２１０）、前記メモリ（４０６）、および前記少なくとも１つのネットワークインターフェース（４０８）に動作可能に接続されたプロセッサ（４０４）とからなり、前記プロセッサ（４０４）は、
前記デバイスが接続されている前記多相電気システム（１０４）の前記第１相についての第１相識別子を前記メモリ（４０６）の中に保存し、
前記デバイスが接続されている前記多相電気システムの前記第１相についての前記第１相識別子を前記メモリ（４０６）から検索して、前記ネットワークインターフェース（４０８）を使用して、前記メータ（１０６）に動作可能に接続された前記ネットワーク（１１０）を介して、少なくとも前記第１相識別子を前記コンピューティングデバイス（１０８）に送信するように構成されるシステム。
【請求項９】
前記デバイスは電気負荷（１０２）を備え、前記１つまたは複数のスイッチ（２０４）は前記電気負荷（１０２）を前記多相電気システム（１０４）の少なくとも前記第１相に接続するために使用され、前記電気負荷（１０２）は単相電気負荷であるか、あるいは、前記デバイスは負荷制御リレー（１１２）であり、前記１つまたは複数のスイッチ（２０４）は前記負荷制御リレー（１１２）を前記多相電気システム（１０４）の前記第１相に接続するために使用され、前記多相電気システム（１０４）は多相電気負荷に電気サービスを与える請求項８記載のシステム。
【請求項１０】
前記１つまたは複数のスイッチ（２０４）は、前記デバイスが前記多相電気システム（１０４）の少なくとも第２相に接続され、前記測定コンポーネント（２０６、２０８、２１０）が、前記メータ（１０６）を使用して、電気消費情報について、前記デバイスが接続されている前記多相電気システム（１０４）の少なくとも前記第２相を測定するように前記デバイスを切り替えるために使用され、前記プロセッサ（４０４）は、
前記デバイスが接続されている前記多相電気システム（１０４）の前記第２相についての第２相識別子を、前記メータ（１０６）に関連した前記メモリ（４０６）の中に保存し、
前記デバイスが接続されている前記多相電気システム（１０４）の前記第２相についての前記第２相識別子を前記メモリ（４０６）から検索して、前記ネットワークインターフェース（４０８）を使用して、前記メータ（１０６）に動作可能に接続された前記ネットワーク（１１０）を介して、少なくとも前記第２相識別子を前記コンピューティングデバイス（１０８）送信するようにさらに構成され、
前記１つまたは複数のスイッチ（２０４）は、前記プロセッサ（４０４）によって制御される自動スイッチであり、前記デバイスが前記多相電気システム（１０４）の少なくとも前記第２相に接続されるように前記デバイスを切り替えることが、前記１つまたは複数のスイッチ（２０４）を使用して、前記デバイスを前記多相電気システム（１０４）の前記第１相から前記第２相へ自動的に切り替えることを備え、
前記１つまたは複数のスイッチ（２０４）は、前記デバイスが接続されている前記多相電気システム（１０４）の前記第２相についての前記第２相識別子を、前記メータ（１０６）に関連した前記メモリ（４０６）の中に保存することが、前記デバイスが前記多相電気システム（１０４）の前記第１相から前記第２相へ切り替えられる場合に、前記第２相識別子を前記メモリ（４０６）の中に自動的に保存することを備えるように、前記プロセッサ（４０４）に動作可能に接続される請求項８または９のいずれか１項記載のシステム。